(57)【要約】【課題】  貯蔵室内部の上側と下側間の温度差及び中央側と縁部間の温度差を最小限に抑えられる直冷式冷蔵庫を提供する。【解決手段】  外部ケース２と；該外部ケース２の内側に配設され、上面が開放された貯蔵室２０が形成されるとともに冷媒が流れる冷媒管が装着された内部ケース２４と；該内部ケース２４と外部ケース２との間に配置された断熱材３０と；前記貯蔵室２０を開閉するドア３２と；前記貯蔵室２０の下部または前記ドア３２に装着されて前記貯蔵室２０の中央側の冷気は上昇され、前記貯蔵室２０の縁部の冷気は下降するように前記貯蔵室内の冷気を循環させる送風手段と；を含めて構成されたことを特徴とする。【選択図】      図１
2004233035.tif 000002
【特許請求の範囲】
【請求項１】
外部ケースと；
前記外部ケースの内側に配設され、上面が開放された貯蔵室が形成されるとともに冷媒が流れる冷媒管が取り付けられた内部ケースと；
前記内部ケースと外部ケースとの間に配置された断熱材と；
前記貯蔵室を開閉するドアと；
前記貯蔵室の下部に装着されて前記貯蔵室の中央側冷気は上昇され、前記貯蔵室の縁部の冷気は下降されるように前記貯蔵室内の冷気を循環させる送風手段と；を含めて構成されたことを特徴とする直冷式冷蔵庫。
【請求項２】
前記直冷式冷蔵庫は、前記内部ケースの内側下部に配設され、中央に空気吐出口が形成されるとともに、縁部に複数個の空気吸入口が形成され、前記空気吐出口及び空気吸入口と通じる送風通路が形成される流路ガイドをさらに含めて構成されたことを特徴とする請求項１に記載の直冷式冷蔵庫。
【請求項３】
前記流路ガイドは多角形に形成され、
前記空気吸入口は、前記流路ガイドの縁部の縁中央部位に形成されたことを特徴とする請求項２に記載の直冷式冷蔵庫。
【請求項４】
前記流路ガイドは多角形に形成され、
前記空気吸入口は、前記流路ガイドの縁部の頂点部位に形成されたことを特徴とする請求項２に記載の直冷式冷蔵庫。
【請求項５】
前記直冷式冷蔵庫は、前記空気吐出口に設けられた脱臭剤をさらに含めて構成されたことを特徴とする請求項２に記載の直冷式冷蔵庫。
【請求項６】
前記送風手段は、前記内部ケースの内側底部の中央に配設された送風モータと、前記送風モータの回転軸に軸設された送風ファンとから構成されたことを特徴とする請求項１に記載の直冷式冷蔵庫。
【請求項７】
前記送風手段は、前記内部ケースの底部中央の下側に配設され、回転軸が前記内部ケースに形成された開口孔を貫通して前記貯蔵室内に突出された送風モータと、前記送風モータの回転軸に軸設された送風ファンとから構成されたことを特徴とする請求項１に記載の直冷式冷蔵庫。
【請求項８】
前記送風手段は、前記外部ケースの下部に形成された機械室に配設され、回転軸が前記断熱材と前記内部ケースに形成された開口孔を貫通して前記貯蔵室内に突出された送風モータと、前記送風モータの回転軸に軸設された送風ファンとから構成されたことを特徴とする請求項１に記載の直冷式冷蔵庫。
【請求項９】
外部ケースと；
前記外部ケースの内側に配設され、上面が開放された貯蔵室が形成されるとともに冷媒が流れる冷媒管が装着された内部ケースと；
前記内部ケースと外部ケースとの間に形成された断熱材と；
前記貯蔵室を開閉するドアと；
前記ドアに装着されて前記貯蔵室の中央側冷気は上昇され、前記貯蔵室の縁部冷気は下降されるように前記貯蔵室内の冷気を循環させる送風手段と；を含めて構成されたことを特徴とする直冷式冷蔵庫。
【請求項１０】
前記ドアは、前記貯蔵室内部の冷気が吸入された後、吐出されるように案内する流路ガイドを含めてなり、
前記流路ガイドは、中央に空気吸入口が形成されるとともに、縁部に複数個の空気吐出口が形成され、前記空気吸入口及び空気吐出口と通じる送風通路が形成されてなることを特徴とする請求項９に記載の直冷式冷蔵庫。
【請求項１１】
前記流路ガイドは多角形に形成され、
前記空気吐出口は、前記流路ガイドの縁部の縁中央部位に形成されたことを特徴とする請求項１０に記載の直冷式冷蔵庫。
【請求項１２】
前記流路ガイドは多角形に形成され、
前記空気吐出口は、前記流路ガイドの縁部の頂点部位に形成されたことを特徴とする請求項１０に記載の直冷式冷蔵庫。
【請求項１３】
前記直冷式冷蔵庫は、前記流路ガイドの空気吸入口に設けられた脱臭剤をさらに含めて構成されたことを特徴とする請求項１０に記載の直冷式冷蔵庫。
【請求項１４】
前記送風手段は、前記ドアの中央に配設され、回転軸が下向突出された送風モータと、
前記送風モータの回転軸に軸設された送風ファンとから構成されたことを特徴とする請求項９に記載の直冷式冷蔵庫。
【請求項１５】
外部ケースと；
前記外部ケースの内側に配設され、上面が開放された貯蔵室がそれぞれ形成され、冷媒が流れる冷媒管がそれぞれ装着された複数個の内部ケースと；
前記複数個の内部ケースと外部ケースとの間、及び前記複数個の内部ケースどうし間に配置された断熱材と；
前記貯蔵室のそれぞれを開閉する複数個のドアと；
前記複数個のドアのうち少なくとも一つ以上に装着されて前記貯蔵室中央側の冷気は上昇され、前記貯蔵室縁部の冷気は下降されるように前記貯蔵室の冷気を循環させる送風手段と；
前記複数個のドアのうち少なくとも一つ以上に装着されて前記貯蔵室内の冷気が吸入された後吐出されるように中央には空気吸入口が形成され、縁部には複数個の空気吐出口が形成され、前記空気吸入口及び空気吐出口と通じる送風通路が形成された流路ガイドを含めて構成されたことを特徴とする直冷式冷蔵庫。
【請求項１６】
前記流路ガイドは多角形に形成され、
前記空気吐出口は、前記流路ガイドの縁部の縁中央部位に形成されたことを特徴とする請求項１５に記載の直冷式冷蔵庫。
【請求項１７】
前記流路ガイドは多角形に形成され、
前記空気吐出口は、前記流路ガイドの縁部の頂点部位に形成されたことを特徴とする請求項１５に記載の直冷式冷蔵庫。
【請求項１８】
前記流路ガイドは多角形に形成され、
前記空気吐出口は、前記流路ガイドの縁部の頂点部位と、前記複数個のドアが対向する縁部における頂点部位の間に形成されたことを特徴とする請求項１５に記載の直冷式冷蔵庫。
【請求項１９】
前記直冷式冷蔵庫は、前記流路ガイドの空気吸入口に設けられた脱臭剤をさらに含めて構成されたことを特徴とする請求項１５に記載の直冷式冷蔵庫。
【請求項２０】
前記送風手段は、前記ドアの中央に配設され、回転軸が下向突出されたモータと、前記モータの回転軸に軸設された送風ファンとから構成されたことを特徴とする請求項１５に記載の直冷式冷蔵庫。
【発明の詳細な説明】
【技術分野】
【０００１】
本発明は、直冷式冷蔵庫に関し、特に、貯蔵室の内部温度差が最小限に抑えられるように冷気流路構造が改善された直冷式冷蔵庫に関する。
【背景技術】
【０００２】
一般に、冷蔵庫は、圧縮器、凝縮器、膨脹器、蒸発器からなる冷媒の冷凍サイクルを利用して冷凍室または冷蔵室などの貯蔵室内部を低温に保持させるものであり、冷気の循環方式によって間冷式冷蔵庫と直冷式冷蔵庫とに区分される。
つまり、間冷式冷蔵庫は、貯蔵室以外の所に蒸発器を設置してファンで冷気を強制循環させて貯蔵室を冷却する方式のものであり、直冷式冷蔵庫は、貯蔵室が蒸発器に囲まれて伝導及び自然対流により貯蔵室を冷却する方式のものである。
【０００３】
前記間冷式冷蔵庫は、冷気が強制循環されながら貯蔵室を冷却するので、貯蔵室内部の温度を全体的に均一に保持せしめ得るが、冷気の流路構造が複雑で、冷媒漏れのおそれがある。これに対し、前記直冷式冷蔵庫は、貯蔵室内部を伝導及び自然対流によって低温に保持させるので、貯蔵室の中央部と縁部間の温度差と上部と下部間の温度差が前記間冷式冷蔵庫に比べて大きくなるものの、構造が簡単で、冷媒漏れのおそれが殆どないという利点がある。
【０００４】
したがって、前記直冷式冷蔵庫に貯蔵室内の冷気を強制循環させる送風器を取り付けると、貯蔵室の内部温度差を最小限に抑えられるが、その一例に、大韓民国登録特許公報１０−０３０２８５９号のキムチ冷蔵庫がある。
前記キムチ冷蔵庫では、前記貯蔵室を開閉するためのドアに、冷気が吸入された後吐出されるように送風通路を形成し、また、前記送風通路の内部に貯蔵室内の冷気を強制循環させる送風モータ及び送風ファンを装着することによって、貯蔵室内の温度差を最小限に抑え、キムチや野菜類を低温に長期保管しようと図った。
【０００５】
また、前記ドアの送風通路には前記送風モータを固定するブラケットが前記送風通路に直交するように設けられる。
しかし、このように送風通路が形成され、送風モータ及び送風ファンが取り付けられた従来技術に係る直冷式冷蔵庫は、貯蔵室内の冷気の流れが貯蔵室の縁部だけを循環するので、貯蔵室の中央側と縁部間に温度差が発生してしまうという問題点があった。
【０００６】
また、前記送風モータ及び送風ファンが送風通路に対して一列に配設され、前記送風モータを固定するためのブラケットが送風通路に直交するように配設されるので、流路抵抗及び騒音が増加するという問題点もあった。
また、前記送風モータ及び送風ファンが前記ドアに装着されるためにドアの重さが増加し、ドアの開閉動作が円滑にならなく、かつ、ドアの断熱性能が劣化するためにエネルギー効率が低いという問題点があった。
【特許文献１】大韓民国登録特許公報１０−０３０２８５９号
【発明の開示】
【発明が解決しようとする課題】
【０００７】
本発明は、上記の従来技術の問題点に鑑みてなされたものであり、貯蔵室内の上部と下部における温度及び中央と縁部における温度を均一に保持させることのできる直冷式冷蔵庫を提供することにその目的がある。
本発明の他の目的は、冷気の流路抵抗及び騒音が最小限に抑えられる直冷式冷蔵庫を提供することにある。
【課題を解決するための手段】
【０００８】
上記の目的を達成するために、本発明に係る直冷式冷蔵庫は、外部ケースと；前記外部ケースの内側に配設され、上面が開放された貯蔵室が形成されるとともに冷媒が流れる冷媒管が取り付けられた内部ケースと；前記内部ケースと外部ケースとの間に配置された断熱材と；前記貯蔵室を開閉するドアと；前記貯蔵室の下部に装着されて前記貯蔵室の中央側冷気は上昇され、前記貯蔵室の縁部の冷気は下降されるように前記貯蔵室内の冷気を循環させる送風手段と；を含めて構成されたことを特徴とする。
【０００９】
また、本発明に係る直冷式冷蔵庫は、外部ケースと；前記外部ケースの内側に配設され、上面が開放された貯蔵室が形成されるとともに冷媒が流れる冷媒管が装着された内部ケースと；前記内部ケースと外部ケースとの間に形成された断熱材と；前記貯蔵室を開閉するドアと；前記ドアに装着されて前記貯蔵室の中央側冷気は上昇され、前記貯蔵室の縁部冷気は下降されるように前記貯蔵室内の冷気を循環させる送風手段と；を含めて構成されたことを特徴とする。
【００１０】
また、本発明に係る直冷式冷蔵庫は、外部ケースと；前記外部ケースの内側に配設され、上面が開放された貯蔵室がそれぞれ形成され、冷媒が流れる冷媒管がそれぞれ装着された複数個の内部ケースと；前記複数個の内部ケースと外部ケースとの間、及び前記複数個の内部ケースどうし間に配置された断熱材と；前記貯蔵室のそれぞれを開閉する複数個のドアと；前記複数個のドアのうち少なくとも一つ以上に装着されて前記貯蔵室中央側の冷気は上昇され、前記貯蔵室縁部の冷気は下降されるように前記貯蔵室の冷気を循環させる送風手段と；前記複数個のドアのうち少なくとも一つ以上に装着されて前記貯蔵室内の冷気が吸入された後吐出されるように中央には空気吸入口が形成され、縁部には複数個の空気吐出口が形成され、前記空気吸入口及び空気吐出口と通じる送風通路が形成された流路ガイドを含めて構成されたことを特徴とする。
【発明の効果】
【００１１】
本発明に係る直冷式冷蔵庫は、下記のような利点を持つ。
１）本発明に係る直冷式冷蔵庫は、貯蔵室の中央側の冷気は上昇され、貯蔵室の縁部の冷気は下降されるように前記貯蔵室内の冷気を循環させる送風器を用いて貯蔵室内の冷気を循環させるので、貯蔵室内の上側と下側間の温度のほかに中央側と縁部間の温度を均一に保持させることができる。
【００１２】
２）本発明に係る直冷式冷蔵庫は、貯蔵室の内側下部に配設され、中央に空気吐出口が形成されるとともに、縁部に複数個の空気吸入口が形成され、また、前記空気吐出口及び空気吸入口と通じる送風通路が形成された流路ガイドをさらに含むので冷気が貯蔵室の縁部から吸入されて貯蔵室の中央を通じて集中吐出され、その結果、冷気の流れが円滑で、貯蔵室の内部が均一に冷却されるという利点がある。
３）前記流路ガイドは多角形に形成され、前記空気吸入口は前記流路ガイドの縁部の縁中央部位または頂点部位に形成されるので、冷気が立体的に循環しながら貯蔵室の内部に均一に循環されるという利点がある。
【００１３】
４）前記流路ガイドは、前記空気吐出口からの液体の侵入を防止するように前記空気吐出口の上周縁に防水リブが突出形成され、前記空気吸入口からの液体の侵入を防止するように前記空気吸入口の上周縁にも防水リブが突出形成されるので、清浄に貯蔵室の内部を保持できるという利点がある。
５）前記流路ガイドは伝熱部材からなるので、流路ガイドによる冷却性能の劣化を防止できる利点がある。
【００１４】
６）本発明に係る直冷式冷蔵庫は、前記空気吐出口に脱臭剤をさらに設けるので、貯蔵室内の食品臭いなどを効率よく脱臭できるという利点がある。
７）前記送風器は、前記内部ケースの内側底部の中央に配設された送風モータと、前記送風モータの回転軸に軸設された送風ファンとから構成されるので、循環される冷気の上向吐出が容易であり、循環される冷気により送風モータを放熱できるという利点がある。
【００１５】
８）前記送風器は、前記内部ケースの底部中央の下側に配設され、回転軸が前記内部ケースに形成された開口孔を貫通して前記貯蔵室内に突出された送風モータと、前記送風モータに軸設された送風ファンとから構成されるので、流路ガイドを循環する冷気の流路抵抗が最小限に抑えられて送風性能が向上され、循環される冷気が前記送風モータにぶつかる時に発生し得る騒音が防止され、且つ、前記断熱材により緩衝されて振動及び騒音が最小となる利点がある。
【００１６】
９）前記送風器は、前記外部ケース下部に形成された機械室に配設され、回転軸が前記断熱材と内部ケースを貫通して前記貯蔵室内に突出された送風モータと、前記送風モータの回転軸に軸設された送風ファンとから構成されるので、流路ガイドを循環する冷気の流路抵抗が最小限に抑えられて送風性能が向上され、循環される冷気が前記送風モータにぶつかる時に発生し得る騒音が防止され、且つ、送風モータの放熱性能が高いという利点がある。
【００１７】
１０）本発明に係る直冷式冷蔵庫は、前記貯蔵室の中央側の冷気が上昇され、前記貯蔵室の縁部冷気が下降されるように前記貯蔵室内の冷気を循環させる送風器がドアに装着され、中央に空気吸入口が形成され、また、縁部に複数個の空気吐出口が形成され、前記空気吸入口及び空気吐出口と通じる送風通路が形成された流路ガイドが前記ドアに装着されるので、貯蔵室の冷気が貯蔵室とドアの内部を循環しながら貯蔵室内の上側と下側間の温度のほかに中央側と縁部間の温度を均一に保持させるという利点がある。
１１）前記流路ガイドは断熱部材からなるので、ドアの断熱性能の低下を防止できる利点がある。
【発明を実施するための最良の形態】
【００１８】
以下、上記の目的を具体的に実現できる本発明の実施例を添付図面を参照しつつ説明する。
図１は、本発明に係る直冷式冷蔵庫の第１実施例の内部構成図である。
本発明に係る直冷式冷蔵庫の第１実施例は、図１に示すように、外形を形成する外部ケース２の内側に上面が開放された貯蔵室２０が形成されるとともに、冷媒が流れる冷媒管２２が装着された内部ケース２４が配設され、前記外部ケース２と内部ケース２４との間に断熱材３０が配設される。
【００１９】
前記外部ケース２の上端と内部ケース２４の上端には前記断熱材３０の上端を取り囲むトップカバー３１が配設される。
前記外部ケース２の下部には機械室３が形成され、前記機械室３内には前記冷媒管２２を通過しながら蒸発された冷媒を高温高圧に圧縮する圧縮器４と、該圧縮器４で圧縮された冷媒が周辺との熱交換で凝縮される凝縮器５と、該凝縮器５で凝縮された冷媒が容易に蒸発されるように冷媒を低温低圧に膨脹させる膨脹機構６が配設される。
前記凝縮器５は、冷媒が通過する冷媒管５ａと、該冷媒管５ａが固定された電熱金属部材５ｂとから成される。
【００２０】
前記内部ケース２４は、上面及び内部が開放された四角函体で構成されてその内部が前記貯蔵室２０となり、前記冷媒管２２を通過する冷媒と貯蔵室２０内の空気の熱伝導が容易となるようにアルミニウムなどの伝熱金属部材からなり、前記冷媒管２２と共に蒸発器を構成する。
また、前記内部ケース２４は、前記外部ケース２の上端を取り囲むように上端が折り曲げられる。
前記断熱材３０は、発泡されており、前記内部ケース２４の両側面及び底面を包むように前記外部ケース２と内部ケース２４との間に埋め込まれる。
【００２１】
そして、直冷式冷蔵庫では、前記貯蔵室４の上面を開閉するドア３２が取り付けられる。
前記ドア３２は、前記外部ケース２とヒンジ１４で結合され、内部には断熱材１６が埋め込まれ、その底面の縁部には前記ドア３２と貯蔵室２０間の冷気漏れを防止するためのパッキング３８が付着される。
一方、前記直冷式冷蔵庫は、前記貯蔵室２０の中央側の冷気が上昇され、前記貯蔵室２０の縁部の冷気が下降されるように前記貯蔵室２０内の冷気を立体的に循環させる送風器４０と、前記送風器４０による冷気の送風に際して冷気を案内する流路ガイド５０をさらに含めて構成される。
【００２２】
前記送風器４０は、前記内部ケース２４内の底部中央に配設された送風モータ４２と、前記送風モータ４２の回転軸４３に軸設された送風ファン４４とから構成される。
そして、前記流路ガイド５０は、前記内部ケース２４内の下部に形成されるが、中央に空気吐出口５２が形成され、縁部に複数個の空気吸入口５４が形成され、これら空気吐出口５２及び空気吸入口５４と通じる送風通路５６が形成されてなる。
前記流路ガイド５０は、プラスチック射出物からなってもいいが、前記内部ケース２４の底部を介した熱伝逹が容易となるように熱伝導性の高いアルミニウムなどの伝熱金属部材から構成すると好ましい。
【００２３】
また、前記流路ガイド５０は、キムチや野菜などの食品が収容される貯蔵容器Ａが載せられるように上面を平坦にすることが好ましい。
一方、前記直冷式冷蔵庫は、貯蔵室２０内の食品などの臭いを脱臭する脱臭剤５７が設けられるといいが、前記脱臭剤５７は前記空気吐出口５２から吐出される冷気の脱臭のために前記空気吐出口５２に設けることが好ましい。
【００２４】
図２は、本発明に係る直冷式冷蔵庫の第１実施例における貯蔵室及び流路ガイドの一例を示す平面図であり、図３は、本発明に係る直冷式冷蔵庫の第１実施例における流路ガイドの一例を示す底面図である。
前記流路ガイド５０は、円形に形成されてもいいが、図２及び図３に示すように、前記内部ケース２４の内部形状に対応して多角形、特に、四角形に形成されることが好ましい。
ここで、前記空気吐出口５２は、前記送風モータ４２及び送風ファン４４と干渉しないように前記送風モータ４２及び送風ファン４４よりも大きく形成される。
【００２５】
前記複数個の空気吸入口５４は、前記送風ファン４４の回転に際して貯蔵室２０の縁部の冷気が流路ガイド５０の前後・左右面の中央部位を通じて下向吸入されるように前記流路ガイド５０の縁部の縁中央部位にそれぞれ形成される。
そして、前記送風通路５６は、前記空気吸入口５４のそれぞれから下向吸入された冷気が中央に集まった後、前記空気吐出口５２から上向吐出されるように前記流路ガイド５０の底面に十字型に前記空気吐出口５２及び空気吸入口５４それぞれと連通するように形成される。
未説明符号５８は、前記流路ガイド５０において前記空気吐出口５２からの液体の侵入を防止するように前記空気吐出口５２の上周縁に突出形成された吐出口防水リブであり、未説明符号５９は、前記空気吸入口５４からの液体の侵入を防止するように前記空気吸入口５４の上周縁に突出形成された吸入口防水リブである。
【００２６】
次に、このように構成された本発明に係る直冷式冷蔵庫の第１実施例の作用について説明する。
まず、前記圧縮器４が駆動されると、前記圧縮器４で圧縮された高温高圧の気体冷媒は前記凝縮器５の冷媒管５ａを通過しながら外部空気との熱交換により凝縮され、前記膨脹機構６を通りながら蒸発しやすい低温低圧の冷媒に膨脹され、前記蒸発器を構成する冷媒管２２を通りながら貯蔵室２０の熱を吸収し蒸発され、再び前記圧縮器４に循環される。
そして、前記送風モータ４２が駆動されると、前記送風ファン４４は送風力を引き起こし、前記貯蔵室２０の縁部の冷気は内部ケース２４の前後・左右の内側面中央に沿って下向送風されて前記流路ガイド５０の空気吸入口５４それぞれに吸入される。
【００２７】
前記流路ガイド５０の空気吸入口５４それぞれに吸入された冷気は、前記送風通路５６に沿って案内されて前記貯蔵室２０の下部中央である空気吐出口５２の下部に集まり、続いて前記空気吐出口５２を通じて貯蔵室２０の中央上側に向けて上向吐出される。
前記貯蔵室２０の中央上側に向けて吐出される冷気は、前記貯蔵室２０の中央側を通りながら貯蔵室２０の中央側を冷却させ、前記ドア３２の底面中央に突き当たる。
前記ドア３２の底面中央に突き当たった冷気は、前後・左右に広がりながら貯蔵室２０の上部を冷却させ、前記ドア３２の底面に沿って貯蔵室２０の縁部に案内された後内部ケース２４の前後・左右の内側面中央に沿って下向送風されて前記流路ガイド５０の空気吸入口５４に吸入される。
【００２８】
つまり、前記貯蔵室２０内の冷気は、前記貯蔵室２０の縁部、下部、中央及び上部の間を循環しながら前記貯蔵室２０の内部温度を全体的に均一に保持させるのである。
一方、前記貯蔵室２０内の冷気は、前記流路ガイド５０の空気吐出口５２から上向吐出されるとき前記脱臭剤５７を通過するので、それにしみ付いている食品などの臭いが脱臭される。
一方、本発明は、上記の実施例に限定されなく、前記流路ガイド５０の空気吸入口の位置及び送風通路の形状によって様々な冷気循環流路が適用可能である。
【００２９】
図４は、本発明に係る直冷式冷蔵庫の第１実施例における貯蔵室及び流路ガイドの他の例を示す平面図であり、図５は、本発明に係る直冷式冷蔵庫の第１実施例における流路ガイドの他の例を示す底面図である。
前記流路ガイド５０’は、図４及び図５に示すように、多角形、特に四角形に形成され、その中央には空気吐出口５２’が形成され、縁部の頂点部位それぞれには空気吸入口５４’が形成される。
【００３０】
また、これら空気吸入口５４’は、前記流路ガイド５０’の頂点と前記空気吐出口５２’を結ぶ線を間に置いて左右対称となるように複数個形成される。
また、前記流路ガイド５０’の底面には、前記空気吐出口５２’及び空気吸入口５４’それぞれが連通するように送風通路５６’が形成される。
前記送風通路５６’は、前記流路ガイド５０’の底面に十字型に形成された第１送風通路５６ａ’と、該第１送風通路５６ａ’の端部を互に連通するように前記流路ガイド５０’の底面縁部に沿って四角形に形成された第２送風通路５６ｂ’とから構成される。
【００３１】
このように構成される流路ガイド５０’が前記貯蔵室２０の内側下部に装着された場合、前記貯蔵室２０の縁部の冷気は内部ケース２４の４つの角部位に沿って下向送風されて前記流路ガイド５０’の空気吸入口５４’それぞれに吸入され、吸入された冷気は前記第２送風通路５６ｂ’と第１送風通路５６ａ’に沿って案内されて前記貯蔵室２０の下部中央である空気吐出口５２’の下部に集まり、次いで前記空気吐出口５２’から貯蔵室２０の中央上側に向けて上向吐出される。
【００３２】
前記貯蔵室２０の中央上側に向けて吐出された冷気は、前記貯蔵室２０の中央側を通りながら貯蔵室２０の中央側を冷却させ、前記ドア３２の底面中央に突き当たる。
前記ドア３２の底面中央に突き当たった冷気は、前後・左右に広がりながら貯蔵室２０の上部を冷却させ、前記ドア３２の底面に沿って貯蔵室２０の縁部に案内された後、再び内部ケース２４の４つの角部に沿って下向送風されて前記流路ガイド５０’の空気吸入口５４’に吸入される。
つまり、前記貯蔵室２０内の冷気は、前記貯蔵室２０の縁部、下部、中央及び上部の間を循環しながら前記貯蔵室２０の内部温度を全体的に均一に保持させるのである。
【００３３】
図６は、本発明に係る直冷式冷蔵庫の第２実施例の内部構成図である。
本発明に係る直冷式冷蔵庫の第２実施例において、送風器以外の構成は第１実施例と同様なので、第１実施例と同一の構成には同一符号を使用し、その詳細な説明は省略するものとする。
本実施例の送風器１００は、内部ケース２４の底部中央の下側に配設され、回転軸１０１が前記内部ケース２４の底部中央に形成された開口孔２４ａを貫通して貯蔵室２０の内部に向けて突出された送風モータ１０２と、前記送風モータ１０２の回転軸１０１に軸設された送風ファン１０４とから構成される。
【００３４】
ここで、前記送風モータ１０２は、前記内部ケース２４の下側の断熱材３０により包まれて固定されることが好ましい。
本実施例の送風器１００では、前記送風モータ１０２が前記流路ガイド５０の内部に設けられずに前記内部ケース２４の外部に配設されるので、前記流路ガイド５０を通過する冷気の流路抵抗が最小限に抑えられ、送風性能が向上され、また、循環される冷気が前記送風モータ１０２にぶつかる際に発生し得る騒音が防止され、前記断熱材３０により緩衝されるために振動及び騒音が最小となる。
【００３５】
図７は、本発明に係る直冷式冷蔵庫の第３実施例の内部構成図である。
本発明に係る直冷式冷蔵庫の第３実施例は、送風器以外の構成が第１実施例と同様なので、第１実施例と同一の構成には同一符号を使用し、その詳細な説明は省略する。
本実施例の送風器１１０は、前記外部ケース２の下部に形成された機械室３に配設され、回転軸１１１が断熱材３０と前記内部ケース２４の底部中央に形成された開口孔２４ａを貫通して前記貯蔵室内に突出された送風モータ１１２と、前記送風モータ１１２の回転軸１１１に軸設された送風ファン１１４とから構成される。
【００３６】
前記送風モータ１１２は、前記機械室内の空気により放熱されるように機械室内に装着され、前記断熱材３０の下端に固定されることが好ましい。
本実施例の送風器１１０は、前記送風モータ１１２が循環される冷気の流路上に設置されずに機械室３の内部に配設されるので、流路ガイド５０を循環する冷気の流路抵抗が最小限に抑えられ、送風性能が向上し、循環される冷気が前記送風モータ１１２にぶつかる際に発生し得る騒音が防止され、前記送風モータ１１２の放熱性能が高くなる。
【００３７】
図８は、本発明に係る直冷式冷蔵庫の第４実施例の内部構成図である。
本発明に係る直冷式冷蔵庫の第４実施例は、図８に示すように、送風器、流路ガイド、及びドア以外の構成が第１実施例と同様なので、第１実施例と同一の構成には同一符号を使用し、その詳細な説明は省略する。
本実施例では送風器１２０が、上記の実施例等のように貯蔵室２０の内側下部に設置されるのではなく、貯蔵室２０を開閉するドア１３０に設置される。
【００３８】
つまり、本実施例の送風器１２０は、前記ドア１３０の中央に配設され、回転軸１２１が下方突出された送風モータ１２２と、前記送風モータ１２２の回転軸１２１に軸設された送風ファン１２４とから構成される。
また、前記ドア１３０には冷気の吸入及び吐出を案内する流路ガイド１４０が設けられる。
つまり、前記ドア１３０は、外形を形成するドアケース１３２と、前記ドアケース１３２内の断熱材１３４と、前記断熱材１３４の下側の流路ガイド１４０とから構成される。
【００３９】
前記流路ガイド１４０は、中央に空気吸入口１４２が形成され、縁部に複数個の空気吐出口１４４が形成され、これら空気吸入口１４４及び空気吐出口１４４と通じる送風通路１４６が形成される。
前記流路ガイド１４０は、前記貯蔵室２０の内部断熱のために前記断熱材１３４と同材質からなると好ましい。
一方、前記直冷式冷蔵庫は、前記貯蔵室２０内の食品臭いなどを脱臭する脱臭剤１５０が設けられるが、この脱臭剤１５０は、前記空気吸入口１４２を通じて上向吸入される冷気に含まれた臭いを脱臭できるように前記空気吸入口１４２に設けられることが好ましい。
【００４０】
図９は、本発明に係る直冷式冷蔵庫の第４実施例のドア及び流路ガイドの一例を示す底面図であり、図１０は、本発明に係る直冷式冷蔵庫の第４実施例の流路ガイドの一例を示す平面図である。
前記流路ガイド１４０は、円形に形成されてもいいが、内部ケースの内部形状に対応して図９及び図１０に示すように、多角形、特に四角形に形成されることが好ましい。
前記空気吸入口１４２は、前記送風モータ１２２及び送風ファン１２４と干渉しないように前記送風モータ１２２及び送風ファン１２４よりも大きく形成される。
【００４１】
前記複数個の空気吐出口１４４は、前記送風ファン１２４の回転に際して貯蔵室２０の中央から吸入された冷気が前記流路ガイド１４０の前後・左右面の中央側を通じて下向吐出されるように前記流路ガイド１４０の縁部の縁中央部位にそれぞれ形成される。
そして、前記送風通路１４６は、前記空気吸入口１４２を通じて上向吸入された冷気が前後・左右の四方に分散された後前記空気吐出口１４４から下向吐出されるように前記流路ガイド１４０の上面に、前記空気吐出口１４２及び空気吸入口１４４それぞれと連通するように十字型に形成される。
【００４２】
次に、このように構成された本発明に係る直冷式冷蔵庫の第４実施例の作用を説明する。
まず、前記ドア１３０を開いて貯蔵容器Ａを貯蔵室２０の内部に入れた後、前記ドア１３０を閉じる。
前記送風モータ１２２が駆動されると前記送風ファン１２４は送風力を引き起こし、前記貯蔵室２０の中央側の冷気は上向送風されて前記流路ガイド１４０の空気吸入口１４２を通じて吸入される。このように吸入された冷気は、前記送風通路１４６に沿って四方に分散され、分散された冷気は前記空気吐出口１４４のそれぞれから下向送風されて内部ケース２４の前後・左右内側面の中央に沿って下向送風される。
【００４３】
前記内部ケース２４の前後・左右内側面の中央に沿って下向送風された冷気は、前記内部ケース２４の底面部に突き当たった後前記貯蔵室２０の内側下部中央に集まり、再び前記貯蔵室２０の中央上側に向けて上向送風されながら貯蔵室２０の中央側を冷却させた後、前記流路ガイド１４０の空気吸入口１４２を通じて吸入される。
つまり、前記貯蔵室２０の内部冷気は、前記貯蔵室２０の中央、ドア１３０の内部、貯蔵室２０の縁部、及び貯蔵室２０の下部を循環しながら前記貯蔵室２０の内部温度を全体的に均一に保持させるのである。
【００４４】
図１１は、本発明に係る直冷式冷蔵庫の第４実施例におけるドア及び流路ガイドの他の例を示す底面図であり、図１２は、本発明に係る直冷式冷蔵庫の第４実施例における流路ガイドの他の例を示す平面図である。
前記流路ガイド１４０’は、図１１及び図１２に示すように、多角形、特に四角形に形成され、前記流路ガイド１４０’の中央には空気吸入口１４２’が形成され、前記流路ガイド１４０’の縁部の頂点部位それぞれには空気吐出口１４４’が形成される。
【００４５】
また、前記空気吸入口１４４’は、前記流路ガイド１４０’の頂点と前記空気吸入口１４４’を結ぶ線を間に置いて左右対称となるように複数個形成される。
また、前記流路ガイド１４０’の上面には前記空気吸入口１４２’及び空気吐出口１４４’それぞれが連通するように送風通路１４６’が形成される。
前記送風通路１４６’は、前記流路ガイド１４０’の上面に十字型に形成された第１送風通路１４６ａ’と、前記第１送風通路１４６ａ’の端部を互に連通させるように前記流路ガイド１４０’の上面縁部に沿って四角形に形成された第２送風通路１４６ｂ’とから構成される。
【００４６】
このように構成された流路ガイド１４０’が前記ドア１３０に設けられると、前記貯蔵室２０の中央側の冷気は上向送風されて前記流路ガイド１４０’の空気吸入口１４２’を通じて吸入される。このように吸入された冷気は前記第１送風通路１４６ａ’に案内されて前記流路ガイド１４０’の前後・左右の四方に分散され、分散された冷気は前記第２送風通路１４６ｂ’に案内されて流路ガイド１４０’の頂点部位に移動した後、前記空気吐出孔１４４’のそれぞれから吐出されて前記内部ケース２４の角部位に沿って下向送風される。
【００４７】
前記内部ケース２４の角部位に沿って下向送風された冷気は、前記内部ケース２４の底面部に突き当たった後前記貯蔵室２０の内側下部中央に集まり、再び前記貯蔵室２０の中央上側に向けて上向送風されながら貯蔵室２０の中央側を冷却させた後、前記流路ガイド１４０’の空気吸入口１４２’に循環される。
つまり、前記貯蔵室２０内の冷気は、前記貯蔵室２０の中央、ドア１３０の内部、貯蔵室２０の縁部、及び貯蔵室２０の下部を循環しながら前記貯蔵室２０の内部温度を全体的に均一に保持させるのである。
【００４８】
図１３は、本発明に係る直冷式冷蔵庫の第５実施例の内部構成図である。
本発明に係る直冷式冷蔵庫の第５実施例は、図１３に示すように、外形を形成する外部ケース２０２の内側に上面が開放された貯蔵室２０４、２０６が形成されるとともに、冷媒が流れる冷媒管２０８、２１０が装着された内部ケース２１２、２１４が複数個配設され、前記外部ケース２０２と複数個の内部ケース２１２、２１４それぞれとの間、及び前記複数個の内部ケース２１２、２１４どうし間には断熱材２１６が埋め込まれる。
【００４９】
前記外部ケース２０２の上端と内部ケース２１２、２１４の上端には前記断熱材２１６の上端を取り囲むトップカバー２１７が配設される。
前記外部ケース２０２の下部には機械室２１８が形成され、この機械室２１８の内部には前記冷媒管２０８、２１０のそれぞれを通過しながら蒸発された冷媒を高温高圧に圧縮する圧縮器２２０と、該圧縮器２２０で圧縮された冷媒が周辺との熱交換により凝縮される凝縮器２２２と、該凝縮器２２２で凝縮された冷媒が容易に蒸発されるように冷媒が低温低圧に膨脹される膨脹機構２２４が配設される。
【００５０】
前記凝縮器２２２は、冷媒が通過する冷媒管２２２ａと前記冷媒管２２２ａが固定される伝熱金属部材２２２ｂとから構成される。
前記冷媒管２０８、２１０は直列に連結されてもいいが、それぞれの貯蔵室２０４、２０６で充分の冷却が行われるように並列に連結されることが好ましく、前記冷媒管２０８、２１０が並列に連結された場合、前記冷媒管２０８、２１０のそれぞれを通過しながら蒸発された冷媒は合わせられた後、前記圧縮器２２０に流入されて圧縮され、前記膨脹機構２２４により膨脹された冷媒は分散されてそれぞれの冷媒管２０８、２１０に流入される。
【００５１】
前記内部ケース２１２、２１４は上面及び内部が開放された四角筒の形状からなり、その内部が前記貯蔵室２０４、２０６となり、前記冷媒管２０８、２１０を通過する冷媒と貯蔵室２０４、２０６の内部空気の熱伝導が容易となるようにアルミニウムなどの伝熱金属部材からなり、前記冷媒管２０８、２１０と共に蒸発器を構成する。
前記断熱材２１６は前記内部ケース２１２、２１４それぞれの側面及び下面を取り囲むように前記外部ケース２０２と内部ケース２１２、２１４との間に発泡されて埋め込まれる。
【００５２】
そして、本実施例の前記直冷式冷蔵庫は、前記貯蔵室２０４、２０６それぞれの上部に開閉自在に複数個のドア２２６、２２８が取り付けられ、前記複数個のドア２２６、２２８のそれぞれには、前記貯蔵室２０２、２０６の中央側の冷気が上昇され、前記貯蔵室２０４、２０６の縁部の冷気が下降されるように前記貯蔵室２０４、２０６の冷気を循環させる送風器２３０、２３２と、前記貯蔵室２０４、２０６の冷気が吸入及び吐出されるように中央に形成される空気吸入口２３４、２３６及び縁部に形成される複数個の空気吐出口２３８、２４０と、前記空気吸入口２３４、２３６及び空気吐出口２３８、２４０と通じる送風通路２４２、２４４が形成された流路ガイド２４６、２４８と、を含めて構成される。
【００５３】
つまり、前記ドア２２６、２２８それぞれは、外形を形成するドアケース２５０、２５２と、前記ドアケース２５０、２５２それぞれの内部の断熱材２５４、２５６と、前記断熱材２５４、２５６の下側の流路ガイド２４６、２４８とから構成される。
前記送風器２３０、２３２のそれぞれは、前記ドア２２６、２２８それぞれの中央に配設され、それぞれの回転軸２５８、２６０が下向突出された送風モータ２６２、２６４と、それぞれの送風モータ２６２、２６４の回転軸２５８、２６０に軸設された送風ファン２６６、２６８とから構成される。
前記流路ガイド２４６、２４８それぞれは、前記貯蔵室２０４、２０６内部の断熱のために断熱材からなることが好ましい。
【００５４】
一方、前記直冷式冷蔵庫は、それぞれの貯蔵室２０２、２０６内の食品などの臭いを脱臭する脱臭剤２７０、２７２が設けられるが、前記脱臭剤２７０、２７２は前記流路ガイド２４６、２４８それぞれの空気吸入口２３４、２３６を通じて上向吸入される冷気中の臭いを脱臭できるように前記流路ガイド２４６、２４８それぞれの空気吸入口２３４、２３６に設置されることが好ましい。
未説明符号２８０は、前記機械室２１８の背面に装着されたバックカバーであり、未説明符号２８２は、前記バックカバー２８０に形成された通風孔である。
【００５５】
図１４は、本発明に係る直冷式冷蔵庫の第５実施例における複数個のドア及び流路ガイドの一例を示す底面図であり、図１５は、本発明に係る直冷式冷蔵庫の第５実施例における複数個の流路ガイドの一例を示す平面図である。
前記流路ガイド２２６、２２８のそれぞれは、円形に形成されてもいいが、内部ケースの内部形状に対応して図１４及び図１５に示すように、多角形、特に四角形に形成されることが好ましい。
【００５６】
前記空気吸入口２３４、２３６のそれぞれは、前記送風モータ２６２、２６４及び送風ファン２６６、２６８と干渉しないように前記送風モータ２６２、２６４及び送風ファン２６６、２６８よりも大きく形成される。
前記複数個の空気吐出口２３８、２４０は、前記送風ファン２６６、２６８の回転に際して貯蔵室２０４、２０６の中央から吸入された冷気が前記流路ガイド２４６、２４８の前後・左右面の中央側に沿って下向吐出されるように前記流路ガイド２４６、２４８の縁部の縁中央部位にそれぞれ形成される。
【００５７】
そして、前記送風通路２４２、２４４は、前記空気吸入口２３４、２３６を通じて上向吸入された冷気が前後・左右の四方に分散された後、前記空気吐出口２３８、２４０を通じて下向吐出されるように前記流路ガイド２４６、２４８の上面に、前記空気吸入口２３４、２３６と空気吐出口２３８、２４０のそれぞれと連通するように十字型に形成される。
次に、このように構成された本発明に係る直冷式冷蔵庫の第５実施例の作用について説明する。
まず、前記ドア２２６、２２８を開いて貯蔵容器Ａを貯蔵室２０４、２０６の内部に入れた後、前記ドア２２６、２２８を閉じる。
【００５８】
前記送風モータ２６２、２６４のそれぞれが駆動されると、前記送風ファン２６６、２６８のそれぞれは送風力を引き起こし、前記貯蔵室２０４、２０６それぞれの中央側の冷気は上向送風されて前記流路ガイド２４６、２４８の空気吸入口２３４、２３６のそれぞれを通じて吸入される。このように吸入された冷気は、前記送風通路２４２、２４４のそれぞれに案内されて四方に分散され、分散された冷気は前記空気吐出口２３８、２４０のそれぞれから吐出されて内部ケース２１２、２１４それぞれの前後・左右内側面の中央に沿って下向送風される。
【００５９】
前記内部ケース２１２、２１４それぞれの前後・左右内側面の中央に沿って下向送風された冷気は、前記内部ケース２１２、２１４それぞれの底面部に突き当たった後、前記貯蔵室２０４、２０６それぞれの内側下部の中央に集まり、再び前記貯蔵室２０４、２０６それぞれの中央上側に向けて上向送風されながら貯蔵室２０４、２０６それぞれの中央側を冷却させた後、前記流路ガイド２４６、２４８それぞれの空気吸入口２３４、２３６に循環される。
つまり、前記貯蔵室２０４、２０６の冷気はそれぞれ、前記貯蔵室２０４、２０６の中央、ドア２２６、２２８の内部、貯蔵室２０４、２０６の縁部と下部を循環しながら前記貯蔵室２０４、２０６それぞれの内部温度を全体的に均一に保持させる。
【００６０】
図１６は、本発明に係る直冷式冷蔵庫の第５実施例の複数個のドア及び流路ガイドの他の例を示す底面図であり、図１７は本発明に係る直冷式冷蔵庫の第５実施例の流路ガイドの他の例を示す平面図である。
前記流路ガイド２４６’、２４８’は、図１６及び図１７に示すように、多角形、特に四角形に形成され、前記流路ガイド２４６’、２４８’の中央には空気吸入口２３４’、２３６’が形成される。
【００６１】
そして、前記流路ガイド２４６’、２４８’は該流路ガイド２４６’、２４８’の縁部の頂点部位それぞれに第１空気吐出口２３８’、２４０’が形成され、前記複数個のドア２２６、２２８が対向する縁部における頂点の間に第２空気吐出口２３８”、２４０”が形成される。
前記第１空気吐出口２３８’、２４０’は、前記流路ガイド２４６’、２４８’の頂点と前記空気吸入口２３４’、２３６’を結ぶ線を間に置いて左右対称となるように複数個形成される。
前記第２空気吐出口２３８”、２４０”は、複数個が隔たって形成される。
【００６２】
図１８は、本発明に係る直冷式冷蔵庫の第５実施例の流路ガイドの他の例により冷気が吐出される場合の冷気流れを示す斜視図である。
一般に、前記内部ケース２１２、２１４が複数個装着された直冷式冷蔵庫では、前記内部ケース２１２、２１４のそれぞれと外部ケース２０２とが対向する部位に比べ、前記複数個の内部ケース２１２、２１４どうしが対向する部位が相対的に断熱性能に優れており、特に、前記内部ケース２１２、２１４が対向する部位でも前後方向に中央部位が最も優れた断熱性能を示す。
【００６３】
つまり、前記貯蔵室２０４、２０６のそれぞれは、前記複数個の内部ケース２１２、２１４が対向する部位の前後方向中央近辺が他の部位に比べて温度が最も低くなるが、このとき、前記第２空気吐出口２３８”、２４０”は、前記複数個の内部ケース２１２、２１４が対向する部位の前後方向の中央近辺の冷気を迅速に循環させることによって貯蔵室２０４、２０６の冷気温度が全体的に均一に保持されるようにする。
【００６４】
また、前記流路ガイド２４６’、２４８’の上面には、図１７に示すように、前記空気吸入口２３４’、２３６’と第１空気吐出口２３８’、２４０’と第２空気吐出口２３８”、２４０”それぞれが連通するように送風通路２４２’、２４４’が形成される。
前記送風通路２４２’、２４４’はそれぞれ、前記流路ガイド２４６’、２４８’の上面に十字型に形成された第１送風通路２４２ａ’、２４４ａ’と、該第１送風通路２４２ａ’、２４４ａ’の端部を互に連通させるように前記流路ガイド２４６’、２４８’の上面縁に沿って四角形に形成された第２送風通路２４２ｂ’、２４４ｂ’とから構成される。
【００６５】
このように構成される流路ガイド２４６’、２４８’が前記ドア２２６、２２８のそれぞれに設けられると、前記貯蔵室２０４、２０６それぞれの中央側の冷気は上向送風されて前記流路ガイド２４６’、２４８’それぞれの空気吸入口２３４’、２３６’を通じて吸入される。このように吸入された冷気は前記第１送風通路２４２ａ’、２４４ａ’のそれぞれに案内されて前記流路ガイド２４６’、２４８’それぞれの前後・左右の四方に分散され、分散された冷気は前記第２送風通路２４２ｂ’、２４４ｂ’のそれぞれに案内されて流路ガイド２４６’、２４８’の頂点部位に移動する。
【００６６】
前記流路ガイド２４６’、２４８’の頂点部位に移動した冷気は、前記第１空気吐出口２３８’、２４０’のそれぞれから吐出され、前記内部ケース２１２、２１４それぞれの角部位に沿って下向送風される。
前記内部ケース２１２、２１４それぞれの角部位に沿って下向送風された冷気は前記内部ケース２１２、２１４の底面部に突き当たった後、前記貯蔵室２０４、２０６それぞれの内側下部中央に集まり、再び前記貯蔵室２０４、２０６の中央上側に向けて上向送風されながら貯蔵室２０４、２０６の中央側を冷却させた後前記流路ガイド２４６’、２４８’の空気吸入口２３４’、２３６’に循環される。
【００６７】
一方、前記第２送風通路２４２ｂ’、２４４ｂ’のそれぞれに案内されて前記流路ガイド２４６’、２４８’の頂点部位に移動する冷気の一部は、前記第２空気吐出口２３８”、２４０”を通じて前記複数個の内部ケース２１２、２１４が対向する部位の前後方向中央近辺で下向吐出されて冷気循環を促進させ、これにより、前記貯蔵室２０４、４０６内の温度偏差が最小となる。
【００６８】
つまり、前記貯蔵室２０４、４０６の内部冷気は、前記貯蔵室２０４、２０６の中央、ドア２２６、２２８の内部、貯蔵室２０４、４０６の縁部、及び貯蔵室２０４、２０６の下部を循環しながら前記貯蔵室２０４、２０６の内部温度を全体的に均一に保持させ、特に、前記複数個の内部ケース２１２、２１４の対向する部位の前後方向の中央近辺に冷気をより多く循環させて断熱性能差による温度偏差を最小限に抑える。
【００６９】
一方、本発明に係る直冷式冷蔵庫の第５実施例は、前記送風器及び流路ガイドが複数個のドアそれぞれに装着されるが、本発明は上記の第５実施例に限定されなく、前記送風器及び流路ガイドが複数個のドアのうち一部にのみ装着される場合にも適用可能であることは言うまでもない。
【図面の簡単な説明】
【００７０】
【図１】本発明に係る直冷式冷蔵庫の第１実施例の内部構成図である。
【図２】本発明に係る直冷式冷蔵庫の第１実施例における貯蔵室及び流路ガイドの一例を示す平面図である。
【図３】本発明に係る直冷式冷蔵庫の第１実施例における流路ガイドの一例を示す底面図である。
【図４】本発明に係る直冷式冷蔵庫の第１実施例における貯蔵室及び流路ガイドの他の例を示す平面図である。
【図５】本発明に係る直冷式冷蔵庫の第１実施例における流路ガイドの他の例を示す底面図である。
【図６】本発明に係る直冷式冷蔵庫の第２実施例の内部構成図である。
【図７】本発明に係る直冷式冷蔵庫の第３実施例の内部構成図である。
【図８】本発明に係る直冷式冷蔵庫の第４実施例の内部構成図である。
【図９】本発明に係る直冷式冷蔵庫の第４実施例におけるドア及び流路ガイドの一例を示す底面図である。
【図１０】本発明に係る直冷式冷蔵庫の第４実施例における流路ガイドの一例を示す平面図である。
【図１１】本発明に係る直冷式冷蔵庫の第４実施例におけるドア及び流路ガイドの他の例を示す底面図である。
【図１２】本発明に係る直冷式冷蔵庫の第４実施例における流路ガイドの他の例を示す平面図である。
【図１３】本発明に係る直冷式冷蔵庫の第５実施例の内部構成図である。
【図１４】本発明に係る直冷式冷蔵庫の第５実施例におけるドア及び流路ガイドの一例を示す底面図である。
【図１５】本発明に係る直冷式冷蔵庫の第５実施例における流路ガイドの一例を示す平面図である。
【図１６】本発明に係る直冷式冷蔵庫の第５実施例における複数個のドア及び流路ガイドの他の例を示す底面図である。
【図１７】本発明に係る直冷式冷蔵庫の第５実施例における流路ガイドの他の例を示す平面図である。
【図１８】本発明に係る直冷式冷蔵庫の第５実施例における流路ガイドの他の例により冷気が吐出される場合の冷気流れを示す斜視図である。
【符号の説明】
【００７１】
２、２０２…外部ケース
３…機械室
４…圧縮器
５…蒸発器
６…膨脹器
２０、２０４、２０６…貯蔵室
２２、２０８、２１０…冷媒管
２４、２１２、２１４…内部ケース
３０…断熱材
３２、１３０、２２６、２２８…ドア
１４…ヒンジ
１６、１３４、２１６、２５４、２５６…断熱材
１８…パッキング
４０、１００、１１０、１２０、２３０、２３２…送風器
４２、１０２、１１２、１２２、２６２、２６４…送風モータ
４３、１０１、１１１、１２１、２５８、２６０…回転軸
４４、１０４、１１４、１２４、２６６、２６８…送風ファン
５０、５０’、１４０、１４０’、２４６、２４６’、２４８、２４８’…流路ガイド
５２、５２’、１４４、１４４’２３８、２４０…空気吐出口
５４、５４’、１４２、１４２’、２３４、２３４’、２３６、２３６’…空気吸入口
５６、５６’、１４６、１４６’、２４２、２４４、２４２’、２４４’…送風通路
５６ａ’、１４６ａ’ …第１送風通路
５６ｂ’、１４６ｂ’ …第２送風通路
５７、１５０、２７０、２７２…脱臭剤
５８…吐出口防水リブ
５９…吸入口防水リブ
１３２、２５０、２５２…ドアケース
２３８’、２４０’…第１空気吐出口
２３８”、２４０”…第２空気吐出口
【図１】
2004233035.tif 000003
【図２】
2004233035.tif 000004
【図３】
2004233035.tif 000005
【図４】
2004233035.tif 000006
【図５】
2004233035.tif 000007
【図６】
2004233035.tif 000008
【図７】
2004233035.tif 000009
【図８】
2004233035.tif 000010
【図９】
2004233035.tif 000011
【図１０】
2004233035.tif 000012
【図１１】
2004233035.tif 000013
【図１２】
2004233035.tif 000014
【図１３】
2004233035.tif 000015
【図１４】
2004233035.tif 000016
【図１５】
2004233035.tif 000017
【図１６】
2004233035.tif 000018
【図１７】
2004233035.tif 000019
【図１８】
2004233035.tif 000020